(57)【要約】【課題】  ケース及び操作部材を仕切壁の延長線上に発光部を設けた分配照光形のものにも流用することができる照光プッシュスイッチユニットを提供する。【解決手段】  第１検出手段３ａ及び第２検出手段３ｂを駆動する駆動部５Ａｂ、５Ｂｂを、第１スライダ５Ａ及び第２スライダ５Ｂの周壁部５Ａａ、５Ｂａのケース１の仕切壁１ａを挟んで隣接する側壁部以外の側壁部に形成すると共に、仕切壁１ａの下面側及び仕切壁１ａを挟んで隣接する側壁部の下面側に切り欠き部１ｄ、５Ａｃ、５Ｂｃを設け、該切り欠き部１ｄ、５Ａｃ、５Ｂｃにより絶縁基板２上面との間に、第１操作部材５Ａ、６Ａ及び第２操作部材５Ｂ、６Ｂのそれぞれの表示面６Ａａ、６Ｂａへの光路となる空間部を形成した。【選択図】        図２
2006134822.tif 000002
【特許請求の範囲】
【請求項１】
仕切壁を挟んで互いに隣接する第１支持孔及び第２支持孔を有するケースと、表示面と周壁部を有し前記第１支持孔及び前記第２支持孔に押動操作可能に保持された第１操作部材及び第２操作部材と、前記第１操作部材及び前記第２操作部材の下方側に位置して前記ケースに固定された絶縁基板と、この絶縁基板上に配設され、前記第１操作部材及び前記第２操作部材のそれぞれの表示面に向けて投光可能な第１発光体及び第２発光体と、前記絶縁基板上に配設され、前記第１操作部材及び前記第２操作部材の押動操作に伴ってそれぞれの周壁部に設けられた駆動部によりそれぞれ駆動される第１検出手段及び第２検出手段とを備え、前記第１検出手段及び前記第２検出手段を駆動する前記駆動部を、前記周壁部の前記仕切壁を挟んで隣接する側壁部以外の側壁部に形成すると共に、前記仕切壁の下面側及び前記仕切壁を挟んで隣接する側壁部の下面側に切り欠き部を設け、該切り欠き部により前記絶縁基板上面との間に、前記第１操作部材及び前記第２操作部材のそれぞれの表示面への光路となる空間部を形成したことを特徴とする照光プッシュスイッチユニット。
【請求項２】
前記第１検出手段及び前記第２検出手段を、前記第１支持孔及び前記第２支持孔の前記仕切壁を挟んで隣接する内壁部と対向する両内壁部近傍の前記絶縁基板上に配置すると共に、前記第１操作部材及び前記第２操作部材に設けられたそれぞれの前記駆動部を、前記周壁部の前記仕切壁を挟んで隣接する側壁部と対向する両側壁部に形成したことを特徴とする請求項１記載の照光プッシュスイッチユニット。
【発明の詳細な説明】
【技術分野】
【０００１】
本発明は、車載用電気機器等のように内面側から照光されて使用される照光プッシュスイッチユニットの構造に関する。
【背景技術】
【０００２】
近年、自動車には、テレビやナビゲーションシステム、ＣＤやカセット等のオーディオ機器、エアコン等の各種電気機器が搭載されており、各スイッチを操作するためのスイッチ操作ノブの操作面には、各スイッチ操作ノブ相互間の識別性を向上させるべく、文字や図形等の各種表示部が表示されている。そして、夜間での操作性の向上を図るべく、各表示部は透過型に構成され、内面側からの照明により各表示部が透過照明されるように構成されている。
【０００３】
このようなスイッチ操作ノブの照明として、例えば、所定の回路が構成された基板に、照明用の光通過孔をスイッチ操作ノブの取付位置に対応してそれぞれ形成し、基板の裏面側に光源としてのＬＥＤをそれぞれ実装し、基板の表面側に取り付けられたスイッチ操作ノブの操作面を各光通過孔を通じてその内面側からそれぞれ照明するようした構成のものが知られている（例えば、特許文献１参照）。
【０００４】
この従来の照光プッシュスイッチユニットの構造を図７〜図９に示す。図７は従来の照光プッシュスイッチユニットの要部断面図、図８は図７の８−８線における断面図、図９は各スイッチ操作ノブの説明図である。
【０００５】
図において、５１は所定の回路が形成された基板で、操作パネル５２の内側に配設されている。基板５１の表面側には、車両に搭載された各種電気機器に対応したタクトスイッチ等からなるスイッチ５３が基板１にそれぞれ装着されると共に、各スイッチ５３を操作するためのスイッチ操作ノブ５４がそれぞれ装着されている。
【０００６】
各スイッチ操作ノブ５４は、操作パネル５２に形成された開口部よりその操作面５４ａを露出状として配設されており、押し込み操作することにより各スイッチ５３を操作する構造とされ、押し込み力を解除すれば、スイッチ５３の復帰力により初期位置に戻されるように構成されている。
【０００７】
各スイッチ操作ノブ５４は、光透過性を有するアクリル樹脂やポリカーボネート樹脂等の樹脂によりそれぞれ所定形状に成形されており、図９に示される如く、各操作面５４ａには、スイッチ機能に応じて文字や図形等からなる各種の透過表示部５４ｂが、光透過性を有する塗料により表示形成され、その他の部分は遮光性を有する塗料が施されている。
【０００８】
基板５１には、各スイッチ操作ノブ５４の装着位置に対応して、それぞれ光通過孔５１ａが形成され、各光通過孔５１ａに対応した基板５１の裏面側には、それぞれ照明用の光源としてのＬＥＤ５５が表面実装されている。
【０００９】
【特許文献１】特開２００３−２０８８３５号公報
【発明の開示】
【発明が解決しようとする課題】
【００１０】
しかしながら、従来の照光プッシュスイッチユニットの構造においては、各スイッチ操作ノブ５４間に配置される操作パネル５２の仕切壁と、スイッチ操作ノブ４の互いに隣接する側壁部、及びスイッチ５３の駆動部が、仕切壁の延長線上の点から互いに隣接するスイッチ操作ノブ５４の投光表示部５４ｂへの光路を妨げる深さ（長さ）まで形成されており、このため、仕切壁の延長線上に発光部を設けて隣接する２つのスイッチ操作ノブ５４の投光表示部５４ｂを照光する、分配照光形にする場合には、操作パネル（ケース）の仕切壁とスイッチ操作ノブ５４を別途専用に設計製造する必要があった。すなわち、操作パネル（ケース）及びスイッチ操作ノブ５４を仕切壁の延長線上に発光部を設けた分配照光形のものに流用することができないという問題があった。
【００１１】
従って、本発明は上記した問題点を解決し、ケース及び操作部材を仕切壁の延長線上に発光部を設けた分配照光形のものにも流用することができる照光プッシュスイッチユニットを提供することを目的とする。
【課題を解決するための手段】
【００１２】
上記課題を解決するために本発明では第１の解決手段として、仕切壁を挟んで互いに隣接する第１支持孔及び第２支持孔を有するケースと、表示面と周壁部を有し前記第１支持孔及び前記第２支持孔に押動操作可能に保持された第１操作部材及び第２操作部材と、前記第１操作部材及び前記第２操作部材の下方側に位置して前記ケースに固定された絶縁基板と、この絶縁基板上に配設され、前記第１操作部材及び前記第２操作部材のそれぞれの表示面に向けて投光可能な第１発光体及び第２発光体と、前記絶縁基板上に配設され、前記第１操作部材及び前記第２操作部材の押動操作に伴ってそれぞれの周壁部に設けられた駆動部によりそれぞれ駆動される第１検出手段及び第２検出手段とを備え、前記第１検出手段及び前記第２検出手段を駆動する前記駆動部を、前記周壁部の前記仕切壁を挟んで隣接する側壁部以外の側壁部に形成すると共に、前記仕切壁の下面側及び前記仕切壁を挟んで隣接する側壁部の下面側に切り欠き部を設け、該切り欠き部により前記絶縁基板上面との間に、前記第１操作部材及び前記第２操作部材のそれぞれの表示面への光路となる空間部を形成した構成とした。
【００１３】
また、第２の解決手段として、前記第１検出手段及び前記第２検出手段を、前記第１支持孔及び前記第２支持孔の前記仕切壁を挟んで隣接する内壁部と対向する両内壁部近傍の前記絶縁基板上に配置すると共に、前記第１操作部材及び前記第２操作部材に設けられたそれぞれの前記駆動部を、前記周壁部の前記仕切壁を挟んで隣接する側壁部と対向する両側壁部に形成した構成とした。
【発明の効果】
【００１４】
上述したように、本発明の照光プッシュスイッチユニットは、仕切壁を挟んで互いに隣接する第１支持孔及び第２支持孔を有するケースと、表示面と周壁部を有し第１支持孔及び第２支持孔に押動操作可能に保持された第１操作部材及び第２操作部材と、第１操作部材及び第２操作部材の下方側に位置してケースに固定された絶縁基板と、絶縁基板上に配設され、第１操作部材及び第２操作部材のそれぞれの表示面に向けて投光可能な第１発光体及び第２発光体と、絶縁基板上に配設され、第１操作部材及び第２操作部材の押動操作に伴ってそれぞれの周壁部に設けられた駆動部によりそれぞれ駆動される第１検出手段及び第２検出手段とを備え、第１検出手段及び第２検出手段を駆動する駆動部を、周壁部の仕切壁を挟んで隣接する側壁部以外の側壁部に形成すると共に、仕切壁の下面側及び仕切壁を挟んで隣接する側壁部の下面側に切り欠き部を設け、該切り欠き部により絶縁基板上面との間に、第１操作部材及び第２操作部材のそれぞれの表示面への光路となる空間部を形成したことから、ケースの仕切壁、第１操作部材及び第２操作部材の隣接する側壁部、及び側壁部に設けられた駆動部の何れもが、仕切壁の延長線上の絶縁基板上の点から、第１操作部材及び第２操作部材のそれぞれの表示面に向けての光路を妨げないものとなるので、同一のケース及び第１、第２操作部材を用いて、仕切壁の延長線上に発光体を設けた分配照光形の構造のものにも流用することができる。
【００１５】
また、第１検出手段及び第２検出手段を、第１支持孔及び第２支持孔の仕切壁を挟んで隣接する内壁部と対向する両内壁部近傍の絶縁基板上に配置すると共に、第１操作部材及び第２操作部材に設けられたそれぞれの駆動部を、周壁部の仕切壁を挟んで隣接する側壁部と対向する両側壁部に形成したことから、簡単な構成で、仕切壁の下面側及び仕切壁を挟んで隣接する側壁部の下面側に、第１操作部材及び第２操作部材のそれぞれの表示面への光路となる空間部を形成することができる。
【発明を実施するための最良の形態】
【００１６】
以下、本発明の実施の形態を図１乃至図６に示す。図１は本発明の実施例に係る照光プッシュスイッチユニットを示す斜視図、図２は本発明の照光プッシュスイッチユニットを示す要部断面図、図３は図２の３−３線における断面図、図４は分配照光形に適用した構成を示す斜視図、図５は図４の要部断面図、図６は図５の６−６線における断面図である。
【００１７】
図１〜図３において、本発明の照光プッシュスイッチユニットは、合成樹脂等の筺体からなるケース１と、このケース１に固着されると共に、複数の検出手段３と複数の発光体４が配設された絶縁基板２と、ケース１に押動操作可能に保持され検出手段３を駆動する複数のスライダ５と、これらのスライダ５に装着され発光体４からの投光で照光する複数のつまみ６とから主に構成されている。
【００１８】
図２に示すように、前記ケース１は、仕切壁１ａを挟んで互いに隣接する第１支持孔１ｂ、及び第２支持孔１ｃを複数有している。この第１支持孔１ｂ、及び第２支持孔１ｃは、略方形状に形成されており、この第１支持孔１ｂ、及び第２支持孔１ｃには、同じく合成樹脂等の絶縁材から略方形状に形成された第１スライダ５Ａ、及び第２スライダ５Ｂが押動操作可能に収納されている。
【００１９】
また、前記第１スライダ５Ａ、及び第２スライダ５Ｂは、上下が開放されて四辺に周壁部５Ａａ、５Ｂａを有する中空状に形成されており、この中空部が発光体４からの投光を透過させるものとなっている。また、開放された前記周壁部５Ａａ、５Ｂａの上面には、同じく合成樹脂等の絶縁材からなる第１つまみ６Ａ、及び第２つまみ６Ｂが装着されており、この第１つまみ６Ａ、及び第２つまみ６Ｂの上面が照光用の表示面６Ａａ、６Ｂａとなっている。
【００２０】
また、前記周壁部５Ａａ、５Ｂａの上面には着色板７ａ、７ｂが介在されており、この着色板７ａ、７ｂを介して前記表示面６Ａａ、６Ｂａが照光されるものとなっている。また、前記スライダ５と前記つまみ６とは、互いに係合されて一体的に押動操作可能に前記ケース１に収納されており、前記第１スライダ５Ａと前記第１つまみ６Ａとで第１操作部材を構成し、前記第２スライダ５Ｂと前記第２つまみ６Ｂとで第２操作部材を構成している。
【００２１】
また、前記ケース１の第１支持孔１ｂ、及び第２支持孔１ｃの下方側には、前記絶縁基板２が固着されている。この絶縁基板２はフェノール樹脂積層板等からなり、この絶縁基板２の上面側で、前記第１支持孔１ｂ、及び第２支持孔１ｃの下端側の略中央には、ＬＥＤ等からなる第１発光体４ａ、及び第２発光体４ｂが配設されている。また、前記第１支持孔１ｂ、及び第２支持孔１ｃの、前記仕切壁１ａを挟んで隣接する内壁部と対向する両内壁部近傍の前記絶縁基板２上には、タクトスイッチ等からなる第１検出手段３ａ、及び第２検出手段３ｂが配設されている。
【００２２】
また、前記第１スライダ５Ａ、及び第２スライダ５Ｂには、四辺の周壁部５Ａａ、５Ｂａのうち、前記仕切壁１ａを挟んで隣接する側壁部と対向する両側壁部には、中空部内へ突出する凸状の駆動部５Ａｂ、５Ｂｂが形成されており、この駆動部５Ａｂ、５Ｂｂが、前記第１検出手段３ａ、及び第２検出手段３ｂに押圧駆動可能に当接されている。
【００２３】
この場合、前記第１検出手段３ａ、及び第２検出手段３ｂを押圧駆動する前記駆動部５Ａｂ、５Ｂｂは、前記周壁部５Ａａ、５Ｂａのうち、前記仕切壁１ａを挟んで隣接する側壁部以外の側壁部（本実施例では中空部を介して対向する側壁部）に形成されている。そして、前記仕切壁１ａの下面側と、四辺の周壁部５Ａａ、５Ｂａのうち、前記仕切壁１ａを挟んで隣接する側壁部の下面側には、やや大きめで逆Ｕ字状の切り欠き部１ｄ、及び５Ａｃ、５Ｂｃが形成されている。
【００２４】
前記仕切壁１ａと、前記周壁部５Ａａ、５Ｂａの下面側に、前記切り欠き部１ｄ、５Ａｃ、５Ｂｃを形成することにより、前記第１スライダ５Ａと、前記第２スライダ５Ｂとの中空部が互いに連結されるものとなり、前記切り欠き部１ｄ、５Ａｃ、５Ｂｃにより、前記絶縁基板２の上面との間に、前記第１スライダ５Ａの上面に装着された前記第１つまみ６Ａ、及び前記第２スライダ５Ｂの上面に装着された前記第２つまみ６Ｂのそれぞれの前記表示面６Ａａ、６Ｂａへの光路となる空間部が形成されるものとなっている。
【００２５】
このように、前記第１検出手段３ａ、及び第２検出手段３ｂを、前記第１支持孔１ｂ、及び第２支持孔１ｃの前記仕切壁１ａを挟んで隣接する内壁部と対向する両内壁部近傍の前記絶縁基板２上に配置すると共に、前記第１スライダ５Ａ、及び第２スライダ５Ｂに設けられた、それぞれの前記駆動部５Ａｂ、５Ｂｂを、前記周壁部５Ａａ、５Ｂａの前記仕切壁１ａを挟んで隣接する側壁部と対向する両側壁部に形成するようにしたので、簡単な構成で、前記仕切壁１ａの下面側、及び前記周壁部５Ａａ、５Ｂｂの前記仕切壁１ａを挟んで隣接する側壁部の下面側に、前記第１つまみ６Ａ、及び第２つまみ６Ｂのそれぞれの前記表示面６Ａａ、６Ｂａへの光路となる空間部を形成することができるものとなっている。
【００２６】
上記構成の照光プッシュスイッチユニットは、操作部材である前記つまみ６が押圧操作されることにより、前記スライダ５が押動し、前記駆動部５Ａｂ、５Ｂｂがタクトスイッチからなる前記検出手段３を押圧することで対応する回路がオンされ、所望の出力が得られるものとなっている。この時、ＬＥＤからなる前記発光体４が発光し、前記スライダ５の中空部、着色板７を通して発光体４の光が前記つまみ６の表示面６Ａａ、６Ｂａを照光するものとなる。
尚、上記実施例では、前記発光体４は前記つまみ６が１個に対してそれぞれ１個ずつ設けられており、個別照光形の構成となっている。
【００２７】
図４〜図６に示すのは、上記構成の照光プッシュスイッチユニットを分配照光形に適用した構成を示している。
この場合、図５に示すように、発光体８は、ＬＥＤではなく、ランプから構成されており、この発光体８の前記絶縁基板２の上面に配設される位置が、前記ケース１の仕切板１ａと、前記スライダ５の周壁部５Ａａ、５Ｂａの下面側に形成された、前記切り欠き部１ｄ、及び５Ａｃ、５Ｂｃ内に位置するように配設されている。
【００２８】
すなわち、本構成では、１個の前記発光体８で、前記ケース１の仕切板１ａを挟んで隣接する、前記第１及び第２支持孔１ｂ、１ｃに収納された、前記第１及び第２スライダ５Ａ、５Ｂの上面に装着された前記第１及び第２つまみ６Ａ、６Ｂのそれぞれの表示面６Ａａ、６Ｂａを照光するものとなっている。
【００２９】
尚、本構成では、図５に示すように、前記発光体８からの投光が効率良く、前記第１及び第２つまみ６Ａ、６Ｂのそれぞれの表示面６Ａａ、６Ｂａに導かれるように、前記第１及び第２スライダ５Ａ、５Ｂのそれぞれの中空部に、光透過性の樹脂からなる導光体９ａ、９ｂが設けられている。この導光体９ａ、９ｂを設けることにより、１個の発光体８からでも、２個のつまみ６のそれぞれの表示面６Ａａ、６Ｂａを確実に照光できるものとなっている。
【００３０】
本発明の上記実施例によれば、タクトスイッチからなる前記第１検出手段３ａ、及び前記第２検出手段３ｂを駆動する前記第１及び第２スライダ５Ａ、５Ｂの前記駆動部５Ａｂ、５Ｂｂを、前記周壁部５Ａａ、５Ｂａの仕切壁１ａを挟んで隣接する側壁部以外の側壁部に形成した。また、前記仕切壁１ａの下面側、及び該仕切壁１ａを挟んで隣接する側壁部の下面側に前記切り欠き部１ｄ、５Ａｃ、５Ｂｃを設けた。そして、これらの切り欠き部１ｄ、及び５Ａｃ、５Ｂｃにより、前記絶縁基板２の上面との間に、前記第１つまみ６Ａ、及び第２つまみ６Ｂのそれぞれの前記表示面６Ａａ、６Ｂａへの光路となる空間部を形成した。そのため、前記ケース１の仕切壁１ａ、前記第１スライダ５Ａ及び第２スライダ５Ｂの隣接する側壁部、及び側壁部に設けられた前記駆動部５Ａａ、５Ｂａの何れもが、前記仕切壁１ａの延長線上の前記絶縁基板２上の点から、前記第１つまみ６Ａ、及び第２つまみ６Ｂのそれぞれの前記表示面６Ａａ、６Ｂａに向けての光路を妨げないものとなる。よって、同一の前記ケース１、及び前記第１及び第２スライダ５Ａ、５Ｂを用いて、前記仕切壁１ａの延長線上に前記発光体８を設けた分配照光形の構造のものにも流用することができるものとなっている。
【図面の簡単な説明】
【００３１】
【図１】本発明の実施例に係る照光プッシュスイッチユニットを示す斜視図である。
【図２】本発明の照光プッシュスイッチユニットを示す要部断面図である。
【図３】本発明の図２の３−３線における断面図である。
【図４】本発明の照光プッシュスイッチユニットを分配照光形に適用した構成を示す斜視図である。
【図５】本発明の図４の要部断面図である。
【図６】本発明の図５の６−６線における断面図である。
【図７】従来の照光プッシュスイッチユニットを示す要部断面図である。
【図８】従来の図７の８−８線における断面図である。
【図９】従来の各スイッチ操作ノブの説明図である。
【符号の説明】
【００３２】
１：ケース
１ａ：仕切壁
１ｂ：第１支持孔
１ｃ：第２支持孔
１ｄ：切り欠き部
２：絶縁基板
３：検出手段
３ａ：第１検出手段
３ｂ：第２検出手段
４：発光体
４ａ：第１発光体
４ｂ：第２発光体
５：スライダ（操作部材）
５Ａ：第１スライダ
５Ａａ：周壁部
５Ａｂ：駆動部
５Ａｃ：切り欠き部
５Ｂ：第２スライダ
５Ｂａ：周壁部
５Ｂｂ：駆動部
５Ｂｃ：切り欠き部
６：つまみ（操作部材）
６Ａ：第１つまみ
６Ａａ：表示面
６Ｂ：第２つまみ
６Ｂａ：表示面
７：着色板
７ａ：第１着色板
７ｂ：第２着色板
８：発光体
９：導光体
９ａ：第１導光体
９ｂ：第２導光体
【図１】
2006134822.tif 000003
【図２】
2006134822.tif 000004
【図３】
2006134822.tif 000005
【図４】
2006134822.tif 000006
【図５】
2006134822.tif 000007
【図６】
2006134822.tif 000008
【図７】
2006134822.tif 000009
【図８】
2006134822.tif 000010
【図９】
2006134822.tif 000011